(57)【特許請求の範囲】
【請求項１】
第１の増幅器と第２の増幅器とを含む伝送経路と、
前記第１の増幅器と前記第２の増幅器との間に結合され、第１のモードでは前記第１の増幅器を前記第２の増幅器に直列にダブルエンドに結合するように、第２のモードでは変圧器の少なくとも一部を通して前記第２の増幅器をバイパスするように、前記第１の増幅器の出力を変圧器の一次巻線にダブルエンドに結合し、変圧器の二次巻線の一端を接地電圧に結合し、変圧器の二次巻線の他端を帯域ポートにシングルエンドに結合するように、切り替え可能に構成された、変圧器と、
を備える増幅器モジュール。
【請求項２】
第３のモードで動作するための第３の増幅器を含んでいる別の伝送経路をさらに備える、請求項１に記載の増幅器モジュール。
【請求項３】
前記伝送経路または前記別の伝送経路のいずれかを第１の帯域ポートおよび第２の帯域ポートの１つに結合するための第１のスイッチと、
前記伝送経路または前記別の伝送経路のいずれかを第３の帯域ポートおよび第４の帯域ポートの１つに結合するための第２のスイッチと、
をさらに備える、請求項２に記載の増幅器モジュール。
【請求項４】
前記第１のモードが高電力モードを備え、前記第２のモードが中電力モードを備え、前記第３のモードが低電力モードを備える、請求項２に記載の増幅器モジュール。
【請求項５】
前記伝送経路が、
シングルエンドの入力信号を受け取り、ダブルエンドの出力信号を前記第１の増幅器に伝達するための第２の変圧器
を含んでいる、請求項１に記載の増幅器モジュール。
【請求項６】
前記第２の増幅器から伝達されるダブルエンドの入力信号を受け取り、シングルエンドの信号を出力に伝達するための第３の変圧器をさらに含む、請求項５に記載の増幅器モジュール。
【請求項７】
前記変圧器が、前記第１の増幅器の出力信号を受け取るためのものであり、前記第１のモードで前記第２の増幅器にダブルエンドの信号を伝達するか、または前記第２のモードで前記第２の増幅器をバイパスするようにシングルエンドの信号を伝達するように、切り替え可能に構成されている、請求項１に記載の増幅器モジュール。
【請求項８】
前記第１のモードが高電力モードを備え、前記第２のモードが中電力モードを備える、請求項１に記載の増幅器モジュール。
【請求項９】
前記第１の増幅器または前記第２の増幅器のうちのいずれかの増幅器の出力に結合され、第１の帯域ポートまたは第２の帯域ポートのいずれかを選択するための第１のスイッチと、前記第１の増幅器または前記第２の増幅器のうちのいずれかの増幅器の出力に結合され、第３の帯域ポートまたは第４の帯域ポートのいずれかを選択するための第２のスイッチと、をさらに備える、請求項１に記載の増幅器モジュール。
【請求項１０】
複数の動作モードのうちの各々１つにおいて変圧器の少なくとも一部を通して少なくとも１つの増幅器によって信号を増幅することと、前記変圧器は、第１の動作モードでは第１の増幅器を第２の増幅器に直列にダブルエンドに結合し、前記変圧器は、第２の動作モードでは前記変圧器の少なくとも一部を通して前記第２の増幅器をバイパスするように、前記第１の増幅器の出力を前記変圧器の一次巻線にダブルエンドに結合し、前記変圧器の二次巻線の一端を接地電圧に結合し、前記変圧器の二次巻線の他端を帯域ポートにシングルエンドに結合し、
第１の複数の帯域ポートのうちの１つ、または第２の複数の帯域ポートのうちの１つに、前記増幅された信号を伝達することと、
を備える方法。
【請求項１１】
前記増幅することが、
前記第１の動作モードにおいて前記信号を前記第１の増幅器および前記第２の増幅器によって増幅することと、
前記第２の動作モードにおいて前記信号を前記第１の増幅器によって増幅することと、
第３の動作モードにおいて前記信号を第３の増幅器によって増幅することと、
を備える、請求項１０に記載の方法。
【請求項１２】
前記第１の動作モードにおいて前記第１の増幅器から出力される信号を前記第２の増幅器に伝達するように前記変圧器を切り替え可能に構成することをさらに備える、請求項１１に記載の方法。
【請求項１３】
前記第２の動作モードにおいて前記第１の増幅器から出力される信号を、前記第１の複数の帯域ポートのうちの１つ、または前記第２の複数の帯域ポートのうちの１つに伝達するように前記変圧器を切り替え可能に構成することをさらに備える、請求項１１に記載の方法。
【請求項１４】
前記増幅することが、高電力モード、中電力モード、および低電力モードのうちの１つにて前記信号を増幅することを備え、前記高電力モードは前記第１の動作モードであり、前記中電力モードは前記第２の動作モードである、請求項１０に記載の方法。
【請求項１５】
前記増幅することが、
別の変圧器において、シングルエンドの信号をダブルエンドの信号に変換することと、
前記変圧器において、増幅されたダブルエンドの信号をシングルエンドの信号に変換することと、
を備える、請求項１０に記載の方法。
【請求項１６】
選択された帯域ポートに基づいて複数のスイッチのうちの１つを介して前記増幅された信号を出力することをさらに備える、請求項１０に記載の方法。
【請求項１７】
前記出力することが、第１の帯域ポートおよび第２の帯域ポートの１つが選択される場合に第１のスイッチを介して前記信号を出力することと、第３の帯域ポートおよび第４の帯域ポートの１つが選択される場合に第２のスイッチを介して前記信号を出力することと、のうちの１つを備える、請求項１６に記載の方法。
【請求項１８】
高電力モードにおいてドライバ増幅器の出力から電力増幅器の入力へのインピーダンス整合を提供することをさらに備え、前記高電力モードは前記第１の動作モードである、請求項１０に記載の方法。
【請求項１９】
前記少なくとも１つの増幅器についてステージ間の整合および出力の整合の少なくとも１つを提供するためにキャパシタを調節する、請求項１０に記載の方法。
【請求項２０】
複数の動作モードのうちの各々において変圧器の少なくとも一部を通して少なくとも１つの増幅器によって信号を増幅するための手段と、前記変圧器は、第１の動作モードでは第１の増幅器を第２の増幅器に直列にダブルエンドに結合し、前記変圧器は、第２の動作モードでは前記変圧器の少なくとも一部を通して前記第２の増幅器をバイパスするように、前記第１の増幅器の出力を前記変圧器の一次巻線にダブルエンドに結合し、前記変圧器の二次巻線の一端を接地電圧に結合し、前記変圧器の二次巻線の他端を帯域ポートにシングルエンドに結合し、
第１の複数の帯域ポートのうちの１つ、または第２の複数の帯域ポートのうちの１つに、前記増幅された信号を伝達するための手段と、
を備えるデバイス。
【発明の詳細な説明】
【技術分野】
【０００１】
[0001]本発明は、一般に、電力増幅器に関する。より詳しくは、本発明は、マルチモード・マルチバンド電力増幅器のための方法、システム、およびデバイスに関する。
【背景技術】
【０００２】
[0002]ワイヤレス通信システムにおいては、送信機が、出力サンプルを生成するために、データを処理（例えば、符号化および変調）し得る。さらに送信機は、出力無線周波数（ＲＦ）信号を生成するために、出力サンプルを調整し（例えば、アナログへの変換、フィルタ処理、周波数のアップコンバート、および増幅を行い）得る。次いで、送信機は、出力ＲＦ信号をワイヤレスチャネルを介して受信機に送信し得る。受信機は、送信されたＲＦ信号を受信し、受信したＲＦ信号について相補的な処理を実行し得る。受信機は、入力サンプルを得るために、受信したＲＦ信号を調整し（例えば、増幅、周波数のダウンコンバート、フィルタ処理、およびデジタル化を行い）得る。さらに受信機は、送信されたデータを回復するために、入力サンプルを処理（例えば、復調および復号）し得る。
【０００３】
[0003]送信機は、複数のモードおよび複数の周波数帯域をサポートし得る。各々のモードは、異なる無線技術に対応し得、各々の周波数帯域は、異なる周波数の範囲をカバーし得る。送信機は、複数のモードおよび複数の帯域をサポートするために、いくつかの電力増幅器を含み得る。例えば、各々の電力増幅器は、特定の帯域における特定のモードをサポートし得る。したがって、比較的多数の電力増幅器が、送信機について必要とされ得、これが送信機のサイズおよびコストを増大させ得る。
【０００４】
[0004]拡張されたマルチモード・マルチバンド電力増幅器について、ニーズが存在する。より具体的には、マルチモード・マルチバンド電力増幅器の電力付加効率（power added efficiency）の向上および挿入損失（insertion loss）の低減について、ニーズが存在する。
【図面の簡単な説明】
【０００５】
【図１】[0005]図１は、本発明の典型的な実施形態によるワイヤレス通信デバイスのブロック図である。
【図２】[0006]図２は、複数の伝送経路を含む電力増幅器モジュールを示す。
【図３】[0007]図３は、本発明の典型的な実施形態による複数の動作モードのうちの１つおよび複数の帯域のうちの１つにて動作するように構成された別の電力増幅器モジュールを示す。
【図４】[0008]図４は、高電力モード（high-power mode）での動作中の図３の電力増幅器モジュールを示す。
【図５】[0009]図５は、中電力モード（medium-power mode）での動作中の図３の電力増幅器モジュールを示す。
【図６】[0010]図６は、低電力モード（low-power mode）での動作中の図３の電力増幅器モジュールを示す。
【図７】[0011]図７は、従来の増幅器モジュールおよび図３の電力増幅器モジュールについて、出力電力に対する電力付加効率を示すプロット（plot）である。
【図８】[0012]図８は、本発明の典型的な実施形態による方法を説明するフロー図である。
【図９】[0013]図９は、本発明の典型的な実施形態による別の方法を説明するフロー図である。
【発明を実施するための形態】
【０００６】
[0014]添付の図面に関連して以下で述べられる詳細な説明は、本発明の典型的な実施形態の説明として意図されており、本発明が実施され得る実施形態だけを表すことを意図したものではない。本明細書の全体にわたって使用される「典型的」という用語は、「実施例、事例、または例示として役立つこと」を意味し、必ずしも、他の典型的な実施形態よりも好ましい、または有利であると解釈されるべきではない。詳細な説明は、本発明の典型的な実施形態の完全な理解を提供する目的で、具体的な詳細を含んでいる。本発明の典型的な実施形態が、これらの具体的な詳細なしで実施され得ることは、当業者にとって明らかであろう。場合によっては、周知の構造およびデバイスは、本明細書に提示される典型的な実施形態の新規性を不明瞭にすることがないように、ブロック図の形式で示される。
【０００７】
[0015]複数のモードおよび複数の周波数帯域をサポートすることができるマルチモード・マルチバンド電力増幅器（ＰＡ）モジュールが、本明細書において説明される。ＰＡモジュールは、ワイヤレス通信デバイス、携帯電話機、携帯情報端末（ＰＤＡ）、ハンドヘルドデバイス、ワイヤレスモデム、ラップトップコンピュータ、コードレス電話機、Ｂｌｕｅｔｏｏｔｈ（登録商標）デバイス、消費者電子デバイス、などの種々の電子デバイスについて使用され得る。分かりやすくするために、ワイヤレス通信デバイスにおけるＰＡモジュールの使用が以下で説明される。
【０００８】
[0016]典型的な実施形態は、本明細書に記載されるとおり、拡張された（enhanced）マルチモード・マルチバンド電力増幅器モジュールに向けられている。１つの典型的な実施形態によれば、増幅器モジュールは、第１の増幅器と第２の増幅器とを含む伝送経路（transmit path）を含み得る。さらに、増幅器モジュールは、第１の増幅器と第２の増幅器との間に結合され、第１のモードでは第１の増幅器を第２の増幅器に直列に結合するために、第２のモードでは第１の増幅器を第２の増幅器をバイパスするように結合するために、切り替え可能に構成された変圧器、を含み得る。
【０００９】
[0017]図１は、ワイヤレス通信デバイス５０の典型的な設計のブロック図を示す。この典型的な実施形態において、ワイヤレスデバイス５０は、データプロセッサ５２および送受信機５６を含んでいる。送受信機５６は、アップコンバータ回路６０とＰＡモジュール６２とを備える送信機５８を含んでいる。さらに、送受信機５６は、フロントエンドモジュール６８とダウンコンバータ回路６６とを備える受信機６４を含んでいる。一般に、ワイヤレスデバイス５０は、任意の数の通信システムおよび任意の数の周波数帯域のために、任意の数の送信機および任意の数の受信機を含み得る。
【００１０】
[0018]伝送経路において、データプロセッサ５２は、送信されるべきデータを処理し、出力ベースバンド信号（output baseband signal）を送信機５８に提供し得る。送信機５８内に、アップコンバータ回路６０は、出力ベースバンド信号を処理し（例えば、増幅、フィルタ処理、および周波数のアップコンバートを行い）、入力ＲＦ信号を提供し得る。アップコンバータ回路６０は、増幅器、フィルタ、ミキサ、などを含み得る。ＰＡモジュール６２は、所望の出力電力レベルを得るために入力ＲＦ信号を増幅し、出力ＲＦ信号を提供し得、それは、アンテナ７０によって送信され得る。ＰＡモジュール６２は、後述のように、ドライバ増幅器、電力増幅器、スイッチ、などを含み得る。
【００１１】
[0019]受信経路（receive path）においては、アンテナ７０が、基地局および／または他の送信局によって送信されたＲＦ信号を受信し得、受信されたＲＦ信号を提供し得る。それは、ＰＡモジュール６２を介してルーティングされ（routed）、受信機６４に提供され得る。受信機６４内に、フロントエンドモジュール６８が、受信されたＲＦ信号を処理し（例えば、増幅およびフィルタ処理を行い）、増幅されたＲＦ信号を提供し得る。フロントエンドモジュール６８は、デュプレクサ、低ノイズ増幅器（ＬＮＡ）、などを含み得る。ダウンコンバータ回路６６は、増幅されたＲＦ信号をさらに処理し（例えば、周波数のダウンコンバート、フィルタ処理、および増幅を行い）、入力ベースバンド信号をデータプロセッサ５２に提供し得る。ダウンコンバータ回路６６は、ミキサ、フィルタ、増幅器、などを含み得る。データプロセッサ５２は、送信されたデータを回復するために、入力ベースバンド信号をさらに処理し（例えば、デジタル化、復調、および復号を行い）得る。
【００１２】
[0020]制御ユニット７２は、データプロセッサ５２から制御情報を受信し得、送信機５８および受信機６４内の回路およびモジュールのための制御を生成し得る。データプロセッサ５２はまた、送信機５８および受信機６４内の回路およびモジュールに直接的に制御提供し得る。いずれにせよ、制御は、所望の性能を得るように回路およびモジュールの動作を指示し得る。
【００１３】
[0021]図１は、送信機５８および受信機６４の典型的な設計を示す。一般に、送信機５８および受信機６４における信号の調整（conditioning）は、増幅器、フィルタ、ミキサ、などの１つまたは複数のステージ（stages）によって実行され得る。これらの回路ブロックは、さまざまな構成にて配置され得る。送信機５８のすべてまたは一部ならびに受信機６４のすべてまたは一部は、１つまたは複数のアナログ集積回路（ＩＣ）、１つまたは複数のＲＦ  ＩＣ（ＲＦＩＣ）、１つまたは複数の混合信号ＩＣ（mixed-signal ICs）、などの上に実装され得る。例えば、ＰＡモジュール６２は、１つのＲＦＩＣ上に実装され得るし、アップコンバータ回路６０およびダウンコンバータ回路６６は、別のＲＦＩＣ上に実装され得る。
【００１４】
[0022]データプロセッサ５２は、例えば送信または受信されるデータに関する処理など、ワイヤレスデバイス５０のための種々の機能を実行し得る。メモリ５４は、データプロセッサ５２のためのプログラムコードおよびデータを記憶し得る。データプロセッサ５２は、１つまたは複数の特定用途向け集積回路（ＡＳＩＣ）および／または他のＩＣの上に実装され得る。
【００１５】
[0023]ワイヤレスデバイス５０は、複数のモードおよび複数の帯域をサポートし得る。ＰＡモジュール６２は、ワイヤレスデバイス５０によってサポートされるすべてのモードおよび帯域をサポートするように設計され得る。複数のモードは、符号分割多元接続（ＣＤＭＡ）  １Ｘ、広帯域ＣＤＭＡ（ＷＣＤＭＡ（登録商標））、グローバル・システム・フォー・モバイル・コミュニケーションズ（ＧＳＭ（登録商標））、ロング・ターム・エボリューション（ＬＴＥ）、ワイヤレス・ローカル・エリア・ネットワーク（ＷＬＡＮ）、などといった種々の無線技術に対応し得る。各々のモードは、特定の無線技術に対応し得、それは、周波数分割複信（ＦＤＤ）または時分割複信（ＴＤＤ）を利用し得る。ＦＤＤにおいては、ダウンリンクおよびアップリンクについて異なる周波数チャネルが使用され、デュプレクサが、送信機からの出力ＲＦ信号をアンテナにルーティングし、アンテナから受信されたＲＦ信号を受信機にルーティングするために使用され得る。ＴＤＤにおいては、同じ周波数チャネルがダウンリンクおよびアップリンクの両方に使用され、スイッチが、一部の時間において（some of the time）送信機をアンテナに結合し、他の一部の時間において（some other time）受信機をアンテナに結合するために使用され得る。
【００１６】
[0024]図２は、電力増幅器モジュール１００を示す。電力増幅器モジュール１００は、変圧器ＴＡの一次巻線ＴＡＰ（primary winding TAP）の第１の端部（first end）にキャパシタＣ１を介して結合されたシングルエンドの入力（single-ended input）１０２を含む。変圧器ＴＡの一次巻線ＴＡＰの第２の端部（second end）は、スイッチＳ１に結合されている。変圧器ＴＡの二次巻線ＴＡＳ（secondary winding TAS）が、ドライバ増幅器１０４の入力に結合されている。電力増幅器モジュール１００は、キャパシタＣ２〜Ｃ５およびインダクタＬ１〜Ｌ３をさらに含む。加えて、電力増幅器モジュール１００は、キャパシタＣ５とキャパシタＣ６との間に結合された電力増幅器１０６を含む。さらに、電力増幅器モジュール１００は、キャパシタＣ６に結合された一次巻線ＴＢＰと、スイッチＳ２およびスイッチＳ３の各々に結合された二次巻線ＴＢＳとを有する別の変圧器ＴＢを含む。電力増幅器モジュール１００はまた、キャパシタＣ７およびＣ８の間に結合された増幅器１１２と、増幅器１１２の出力と供給電圧ＶＤＤ＿ＢＹＰとの間に結合されたインダクタＬ４とを含む。
【００１７】
[0025]電力増幅器モジュール１００のスイッチＳ１は、変圧器ＴＡの一次巻線ＴＡＰの第２の端部を接地電圧ＧＲＮＤまたはキャパシタＣ７のいずれかに結合するように構成される。さらに、電力増幅器モジュール１００のスイッチＳ２は、変圧器ＴＢの二次巻線ＴＢＳの一端（one end）を接地電圧ＧＲＮＤまたはキャパシタＣ８のいずれかに結合するように構成される。さらに、電力増幅器モジュール１００のスイッチＳ３は、変圧器ＴＢの二次巻線ＴＢＳの他端（another end）を、所望の周波数帯域を選択するための複数のポートＢ１〜Ｂ４のうちの１つに結合するように構成される。
【００１８】
[0026]電力増幅器モジュール１００の想定される動作（contemplated operation）（すなわち、高電力モード）の間、スイッチＳ１およびスイッチＳ２は、接地電圧ＧＲＮＤに結合され、したがって入力１０２において受信された信号は、ドライバ増幅器１０４および電力増幅器１０６を通り、選択された周波数帯域に応じてポートＢ１〜Ｂ４のうちの１つに伝達される（conveyed）。高電力の経路は、矢印１０８によって示されている。電力増幅器モジュール１００の別の想定される動作（すなわち、中電力モードまたは低電力モードのいずれか）の間、スイッチＳ１はキャパシタＣ７に結合され、スイッチＳ２はキャパシタＣ８に結合され、したがって入力１０２において受信された信号は、ドライバ増幅器１０４および電力増幅器１０６をバイパスし（bypasses）、増幅器１１２を通り、選択された周波数帯域に応じてポートＢ１〜Ｂ４のうちの１つに伝達される。中電力および低電力の経路は、矢印１１０によって示されている。
【００１９】
[0027]当業者であれば理解できるとおり、従来の電力増幅器のアーキテクチャは、必要とされる周波数帯域の数が増えるにつれてより低くなる性能を被り（suffer from lower performance）得る。さらに、従来の電力増幅器のアーキテクチャは、高電力動作のための第１の経路と、中電力モードおよび低電力モードの両方に使用される第２の経路とを含み得る。しかしながら、第２の経路は中電力モードおよび低電力モードの両方をサポートするので、低電力モードおよび中電力モードのどちらも最適化されない可能性がある。換言すると、中電力モードおよび低電力モードの両方をサポートするために、第２の経路は、低電力モードのＰＡＥと中電力モードの出力電力との間のトレードオフ（trade-off）を含んでいる。さらに、従来の電力増幅器のアーキテクチャのマルチポートスイッチ（例えば、電力増幅器モジュール１００のスイッチＳ３）は、必要とされる周波数帯域の数が増えるにつれてより高くなる挿入損失を有し得る。
【００２０】
[0028]図３は、本発明の典型的な実施形態による電力増幅器モジュール２００を示す。電力増幅器モジュール２００は、変圧器Ｔ１の一次巻線Ｔ１Ｐの第１の端部にキャパシタＣ１を介して結合された入力２０２を含む。変圧器Ｔ１の一次巻線Ｔ１Ｐの第２の端部は、スイッチＳ４に結合されている。さらに、変圧器Ｔ１の二次巻線Ｔ１Ｓが、ドライバ増幅器２０４に結合されている。変圧器Ｔ１の一次巻線Ｔ１Ｐが、入力１０２からシングルエンドの信号を受け取るように構成され、変圧器Ｔ１の二次巻線Ｔ１Ｓが、ダブルエンドの信号をドライバ増幅器２０４に伝達するように構成されていることに、留意すべきである。電力増幅器モジュール２００は、ドライバ増幅器２０４の出力および変圧器Ｔ２の一次巻線Ｔ２Ｐの各々に並列に結合されたキャパシタＣ２をさらに含む。加えて、変圧器Ｔ２の一次巻線Ｔ２Ｐの中央タップ（center tap）が、供給電圧ＶＤＤ＿ＤＡに結合されている。
【００２１】
[0029]電力増幅器モジュール２００はまた、キャパシタＣ５およびＣ６と、電力増幅器２０６と、変圧器Ｔ３と、スイッチＳ５〜Ｓ８とを含む。図示のとおり、変圧器Ｔ２の二次巻線Ｔ２Ｓの第１の端部が、スイッチＳ５を介して電力増幅器２０６の入力またはスイッチＳ５およびスイッチＳ７を介して変圧器Ｔ３の二次巻線Ｔ３Ｓのいずれかに切り替え可能に結合される。さらに、変圧器Ｔ２の二次巻線Ｔ２Ｓの第２の端部が、スイッチＳ６を介して電力増幅器２０６の入力またはスイッチＳ６およびスイッチＳ８を介して変圧器Ｔ３の二次巻線Ｔ３Ｓのいずれかに切り替え可能に結合される。スイッチＳ５が、変圧器Ｔ２の二次巻線Ｔ２Ｓを、電力増幅器２０６、スイッチＳ７、または接地電圧ＧＲＮＤのいずれかに結合し得ることに、留意すべきである。さらに、スイッチＳ６が、変圧器Ｔ２の二次巻線Ｔ２Ｓを、電力増幅器２０６、スイッチＳ８、または接地電圧ＧＲＮＤのいずれかに結合し得る。加えて、電力増幅器２０６の出力が、キャパシタＣ６および変圧器Ｔ３の一次巻線Ｔ３Ｐに並列に結合される。さらに、変圧器Ｔ３の一次巻線Ｔ３Ｐの中央タップが、供給電圧ＶＤＤ＿ＰＡに結合される。
【００２２】
[0030]電力増幅器モジュール２００は、キャパシタＣ７〜Ｃ９と、増幅器２１２と、インダクタＬ４と、スイッチＳ９〜Ｓ１１とをさらに含む。例として、増幅器２１２は、低電力増幅器を備え得る。図示のとおり、スイッチＳ４が、変圧器Ｔ１の一次巻線Ｔ１Ｐの第２の端部を、接地電圧または、増幅器２１２の入力に結合されているキャパシタＣ７のいずれかに結合するように構成されている。さらに、増幅器２１２の出力が、キャパシタＣ８に結合され、さらにキャパシタＣ８は、インダクタＬ４を介して供給電圧ＶＤＤ＿ＢＹＰに結合されている。スイッチＳ９が、増幅器１１２の出力をスイッチＳ１１に結合するように構成され、スイッチＳ１０が、増幅器１１２の出力をスイッチＳ１２に結合するように構成されている。電力増幅器モジュール２００は、受信機ポート２２０を帯域ポートＢ１または帯域ポートＢ２のいずれかに接続するためのスイッチＳ１３と、受信機ポート２２２を帯域ポートＢ３または帯域ポートＢ４のいずれかに結合するためのスイッチＳ１４とをさらに含む。
【００２３】
[0031]本発明の種々の典型的な実施形態によれば、電力増幅器モジュール２００は、複数のモードのうちの１つおよび複数の帯域のうちの１つにて動作するように構成され得る。図４〜６に関してさらに詳しく説明されるように、高電力モードの間、電力増幅器モジュール２００は、入力１０２を介して受信される信号をドライバ増幅器２０４および電力増幅器２０３を介して複数の帯域ポートのうちの１つ（すなわち、周波数帯域ポートＢ１〜Ｂ４のうちの１つ）に伝達するように構成され得る。さらに、中電力モードの間、電力増幅器モジュール２００は、入力１０２を介して受信される信号をドライバ増幅器２０４を介して、複数の帯域ポートのうちの１つ（すなわち、周波数帯域ポートＢ１〜Ｂ４のうちの１つ）に伝達するように構成され得る。さらに、低電力モードの間、電力増幅器モジュール２００は、入力１０２を介して受信される信号を増幅器２１２を介して、複数の帯域ポートのうちの１つ（すなわち、周波数帯域ポートＢ１〜Ｂ４のうちの１つ）に伝達するように構成され得る。
【００２４】
[0032]図４は、高電力モードで動作するように構成された電力増幅器モジュール２００を示す。図４に示した高電力モードの構成において、スイッチＳ４が、変圧器Ｔ１の一次巻線Ｔ１Ｐの一端を接地電圧ＧＲＮＤに結合し、スイッチＳ５およびＳ６が、変圧器Ｔ２の二次巻線Ｔ２Ｓを電力増幅器２０６に結合し、スイッチＳ８が、変圧器Ｔ３の二次巻線Ｔ３Ｓの一端を接地電圧ＧＲＮＤに結合し、スイッチＳ７が、変圧器Ｔ３の二次巻線Ｔ３Ｓの他端をスイッチＳ１１に結合し、それは、第１の帯域ポートＢ１または第２の帯域ポートＢ２のいずれかを選択するように構成されていることに、留意すべきである。
【００２５】
[0033]高電力モードにおける電力増幅器モジュール２００の想定される動作が、以下で説明される。入力２０２において信号を受信すると、電力増幅器モジュール２００は、シングルエンドの信号を変圧器Ｔ１の一次巻線Ｔ１Ｐに伝達し得る。当業者であれば理解できるとおり、誘導結合によって電圧が変圧器Ｔ１の二次巻線Ｔ１Ｓに誘導され得、ダブルエンドの信号がドライバ増幅器１０４に伝達され得る。ドライバ増幅器２０４によって増幅された後に、ダブルエンドの信号が、変圧器Ｔ２に伝達され得、それは、信号を電力増幅器２０６に伝達し得る。ドライバ増幅器２０４を電力増幅器２０６に結合するように切り替え可能に構成される変圧器Ｔ２が、電力増幅器２０６についてインピーダンス整合を提供し得ることに、留意すべきである。さらに、キャパシタＣ５が、ステージ間整合コンポーネント（interstage matching component）として調節可能であり（tunable）得、キャパシタＣ９は、帯域チューニング（band tuning）のための出力整合コンポーネントとして調節可能であり得る。したがって、本発明の典型的な実施形態は、変圧器に基づくインピーダンス整合を含む。電力増幅器２０６は、信号を増幅し、変圧器Ｔ３の一次巻線Ｔ３Ｐによって受け取られるダブルエンドの出力を伝達し得る。さらに、変圧器Ｔ３の二次巻線Ｔ３Ｓが、シングルエンドの信号をスイッチＳ１１に伝達し得、それは、上述のように第１の帯域ポートＢ１または第２の帯域ポートＢ２のいずれかを選択するように構成され得る。
【００２６】
[0034]電力増幅器モジュール２００が、図４においては、第１の周波数帯域（すなわち、帯域ポートＢ１を介する）または第２の周波数帯域（すなわち、帯域ポートＢ２を介する）のいずれかにて動作するように構成されるものとして示されているが、本発明はこのように限定されない。むしろ、電力増幅器モジュール２００は、任意の数の帯域のうちの１つにて動作するように構成され得る。例えば、図３を参照すると、電力増幅器モジュール２００を高電力モードにおいて第３の帯域（すなわち、第３の帯域ポートＢ３を介する）または第４の帯域（すなわち、第４の帯域ポートＢ４を介する）のいずれかにて動作させることを可能にできる異なる構成においては、スイッチＳ４が、変圧器Ｔ１の一次巻線Ｔ１Ｐの一次巻線の一端を接地電圧ＧＲＮＤに結合し、スイッチＳ５およびＳ６が、変圧器Ｔ２の二次巻線Ｔ２Ｓを電力増幅器２０６に結合し、スイッチＳ７が、変圧器Ｔ３の二次巻線Ｔ３Ｓの一端を接地電圧ＧＲＮＤに結合し、スイッチＳ８が、変圧器Ｔ３の二次巻線Ｔ３Ｓの他端をスイッチ１２に結合し、それは、第３の帯域ポートＢ３または第４の帯域ポートＢ４のいずれかを選択するように構成されている。
【００２７】
[0035]図５は、中電力モードで動作するように構成された電力増幅器モジュール２００を示す。図５に示した中電力モードの構成において、スイッチＳ４が、変圧器Ｔ１の一次巻線Ｔ１Ｐの一次巻線の一端を接地電圧ＧＲＮＤに結合し、スイッチＳ６が、変圧器Ｔ２の二次巻線Ｔ２Ｓの一端を接地電圧ＧＲＮＤに結合し、スイッチＳ５およびＳ７が、変圧器Ｔ２の二次巻線Ｔ２Ｓの他端をスイッチＳ１１に結合し、それは、第１の帯域ポートＢ１または第２の帯域ポートＢ２のいずれかを選択するように構成されていることに、注意すべきである。
【００２８】
[0036]中電力モードにおける電力増幅器モジュール２００の想定される動作が、以下で説明される。入力２０２において信号を受信すると、電力増幅器モジュール２００は、シングルエンドの信号を変圧器Ｔ１の一次巻線Ｔ１Ｐに伝達し得る。当業者であれば理解できるとおり、誘導結合によって電圧が変圧器Ｔ１の二次巻線Ｔ１Ｓに誘導され得、ダブルエンドの信号がドライバ増幅器２０４に伝達され得る。ドライバ増幅器２０４によって増幅された後に、ダブルエンドの信号が変圧器Ｔ２に伝達され得、変圧器Ｔ２は、シングルエンドの信号をスイッチＳ１１に伝達し得、それは、上述のように第１の帯域ポートＢ１または第２の帯域ポートＢ２のいずれかを選択するように構成され得る。図３および４を参照すると、中電力モードにおいて、変圧器Ｔ２が電力増幅器２０６をバイパスするように切り替え可能に構成されることに、留意すべきである。
【００２９】
[0037]電力増幅器モジュール２００が、図５においては、第１の帯域（すなわち、帯域ポートＢ１を介する）または第２の帯域（すなわち、帯域ポートＢ２を介する）のいずれかにて動作するように構成されるものとして示されているが、本発明はこのように限定されない。むしろ、電力増幅器モジュール２００は、任意の数の帯域のうちの１つにて動作するように構成され得る。例えば、図３を参照すると、電力増幅器モジュール２００を中電力モードにおいて第３の帯域（すなわち、第３の帯域ポートＢ３を介する）または第４の帯域（すなわち、第４の帯域ポートＢ４を介する）のいずれかにて動作させることを可能にできる異なる構成においては、スイッチＳ４が、変圧器Ｔ１の一次巻線Ｔ１Ｐの一次巻線の一端を接地電圧ＧＲＮＤに結合し、スイッチＳ５が、変圧器Ｔ２の二次巻線Ｔ２Ｓの一端を接地電圧ＧＲＮＤに結合し、スイッチＳ６およびＳ８が、変圧器Ｔ２の二次巻線Ｔ２Ｓの他端をスイッチＳ１２に結合し、それは、第３の帯域ポートＢ３または第４の帯域ポートＢ４のいずれかを選択するように構成されている。
【００３０】
[0038]図６は、低電力モードで動作するように構成された電力増幅器モジュール２００を示す。図５に示される低電力モードの構成において、スイッチＳ４が、変圧器Ｔ１の一次巻線Ｔ１Ｐの一次巻線の一端を増幅器２１２に（すなわち、キャパシタＣ７を介して）結合することに、留意すべきである。さらに、スイッチＳ９〜Ｓ１２が、増幅器２１２の出力を複数の帯域ポートＢ１〜Ｂ４のうちの１つに結合するように構成され得る。
【００３１】
[0039]低電力モードにおける電力増幅器モジュール２００の想定される動作が、以下で説明される。入力２０２において信号を受信すると、電力増幅器モジュール２００は、シングルエンドの信号を変圧器Ｔ１の一次巻線Ｔ１ＰおよびキャパシタＣ７を介して増幅器２１２に伝達し得る。増幅器２１２によって増幅された後に、信号は、スイッチＳ１０およびＳ９に伝達され得る。一構成（すなわち、第１の帯域ポートＢ１または第２の帯域ポートＢ２のいずれかが選択される場合）においては、スイッチＳ１０は接地電圧ＧＲＮＤに結合され得、スイッチＳ９が、増幅器２１２の出力をスイッチＳ１１に結合し得、それは、第１の帯域ポートＢ１または第２の帯域ポートＢ２のいずれかを選択するように構成され得る。別の構成（すなわち、第３の帯域ポートＢ３または第４の帯域ポートＢ４のいずれかが選択される場合）においては、スイッチＳ９は接地電圧ＧＲＮＤに結合され得、スイッチＳ１０が、増幅器２１２の出力をスイッチＳ１２に結合し得、それは、第３の帯域ポートＢ３または第４の帯域ポートＢ４のいずれかを選択するように構成され得る。
【００３２】
[0040]本発明の典型的な実施形態は、高電力、中電力、および低電力モードの各々に専用の伝送経路を提供する。したがって、各々の経路が、相応に最適化され得る。さらに、典型的な実施形態は、切り替え可能な変圧器に基づくステージ間のインピーダンス整合（inter-stage impedance matching）を提供し、それは、結果としていかなるデバイスも追加することなくより広い帯域幅をもたらし得る。したがって、出力電力が、低電力モードの性能を損なうことなくロング・ターム・エボリューション（ＬＴＥ）の要件を満たすように容易に調整され得る。加えて、典型的な実施形態は、マルチポート送信機スイッチデバイス（すなわち、スイッチＳ１１およびＳ１２）を含み、それは、変圧器（すなわち、変圧器Ｔ２またはＴ３）の２つの出力ポートに分割され得、したがって従来の増幅器スイッチと比べて挿入損失の大幅な低減をもたらす。受信機スイッチポート２２０および２２２が、フロントエンドの要件ゆえに、一体に組み合わせるか、または変圧器のポートに分割し得、それはまた、受信機の経路の損失を改善する（enhance）ことに留意すべきである。
【００３３】
[0041]高電力、中電力、および低電力モードの各々が、コンパクトなフォームファクタにて実現され、平衡した構造ゆえに、中電力および高電力モードが寄生の（parasitic）接地インダクタンスに影響を受け得ない。さらに、低電力モードは、低い静止電流（low quiescent current）の要件に最適化され得、中電力モードは、ドライバ増幅器２０４の出力電力の能力に基づいて最適化され得る。さらに、伝送帯域ポートが、出力変圧器（すなわち、中電力モードにおける変圧器Ｔ２および高電力モードにおける変圧器Ｔ３）の２つの枝（branches）に分割される。したがって、挿入損失は、従来の構造と比べて減らされ得、したがって高電力におけるＰＡＥが大幅に改善される。
【００３４】
[0042]特に図３を参照すると、電力増幅器２０６の差別設計（differential design）が、接地インダクタンスおよびより高い負荷の回線（higher load line）に起因する出力整合ネットワーク（ＯＭＮ）損失を低減し得る。さらに、変圧器Ｔ３が、マルチバンドのサポートのための出力の整合を提供し得、より小さなデバイスと組み合わせられる電力を安定化させ得る。加えて、より高い負荷の回線およびより小さい変圧比（transformation ratio）が、ＯＭＮ損失を最小化し得る。さらに、変圧器Ｔ３は、高Ｑ基板層（high Q substrate layer）によって実現され得る。さらに、切り替え可能な変圧器に基づくアンテナスイッチモジュール（ＡＳＭ）（すなわち、スイッチＳ１１およびＳ１２ならびに変圧器Ｔ２または変圧器Ｔ３のいずれか）は、損失を最小化し得る。さらに、シングルエンドの動作のために構成された増幅器２１２は、静止電流を最小化し得、比較的小さな領域のみ必要とし得る。
【００３５】
[0043]図７は、従来の増幅器モジュールおよび本発明の典型的な実施形態による増幅器モジュールについて、電力付加効率（ＰＡＥ）を出力電力（Ｐｏｕｔ）に対して示したプロット４００である。より具体的には、波形４０２が、従来の増幅器モジュールについてのＰＡＥ対Ｐｏｕｔを示し、波形４０４が、本発明の典型的な実施形態による増幅器モジュール（例えば、増幅器モジュール２００）についてのＰＡＥ対Ｐｏｕｔを示している。プロット４００に示されるとおり、低電力モード（すなわち、０ｄＢｍ〜約７ｄＢｍ）におけるＰＡＥは、別個の経路（すなわち、低電力モードの伝送経路）において最適化されたデバイスのサイズゆえに、波形４０４においてより高い。さらに、Ｐｏｕｔは、ドライバ増幅器（例えば、ドライバ増幅器２０４）の最適化されたデバイスのサイズゆえに、中電力モード（すなわち、約７ｄＢｍ〜１７ｄＢｍ）において波形４０４についてより高い。加えて、高電力モード（すなわち、約１７ｄＢｍ〜２９ｄＢｍ）において、波形４０４は、分割されたスイッチの構成（すなわち、図２のモジュール１００のスイッチＳ３と比べた図３のモジュール２００のスイッチＳ１１およびＳ１２）からのより少ない挿入損失ゆえに、より大きなＰＡＥを有する。
【００３６】
[0044]図８は、１つまたは複数の典型的な実施形態による方法７００を示すフロー図である。方法７００は、複数の動作モードのうちの１つにおいて少なくとも１つの増幅器によって信号を増幅すること（数字７０２によって示されている）を含み得る。方法７００はまた、第１の複数の帯域ポートのうちの１つが選択されている場合に、増幅された信号を第１の出力経路に伝達すること（数字７０４によって示されている）を含み得る。加えて、方法７００は、第２の複数の帯域ポートのうちの１つが選択されている場合に、増幅された信号を第２の出力経路に伝達すること（数字７０６によって示されている）を含み得る。
【００３７】
[0045]図９は、１つまたは複数の典型的な実施形態による別の方法７５０を示すフロー図である。方法７５０は、選択された動作モードに基づいて複数の選択可能な経路のうちの１つにて信号を増幅すること（数字７５２によって示されている）を含み得る。方法７５０はまた、選択された帯域に基づいて複数のスイッチのうちの１つを介して信号を出力すること（数字７５４によって示されている）を含み得る。
【００３８】
[0046]当業者であれば、情報および信号が、種々の異なる技術および技法のいずれかを使用して表現され得ることを、理解できるであろう。例えば、上記の説明の全体において言及され得るデータ、インストラクション、コマンド、情報、信号、ビット、符号、およびチップは、電圧、電流、電磁波、磁界または磁性粒子、光場または光学粒子、あるいはこれらの任意の組み合わせによって表され得る。
【００３９】
[0047]さらに、本明細書に開示の典型的な実施形態に関連して説明される種々の例示の論理ブロック、モジュール、回路、およびアルゴリズムステップが、電子ハードウェア、コンピュータソフトウェア、または両者の組み合わせにて実現され得ることを、当業者であれば理解できるであろう。このハードウェアおよびソフトウェアの入れ換え可能性を明確に示すために、種々の例示のコンポーネント、ブロック、モジュール、回路、およびステップは、広くそれらの機能に関して上述されている。このような機能がハードウェアとして実現されるか、あるいはソフトウェアとして実現されるかは、特定の用途およびシステム全体に課される設計上の制約事項に依存する。当業者であれば、上述の機能を特定の用途について種々のやり方で実現し得るが、このような実現における決定は、本発明の典型的な実施形態の技術的範囲からの逸脱を生じるものと解釈すべきではない。
【００４０】
[0048]本明細書に開示の典型的な実施形態に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書に記載の機能を実行するように設計されたこれらの任意の組み合わせによって実施または実行され得る。汎用のプロセッサは、マイクロプロセッサであり得るが、代案においては、プロセッサは、任意の従来のプロセッサ、コントローラ、マイクロコントローラ、または状態機械であり得る。プロセッサはまた、例えばＤＳＰとマイクロプロセッサとの組み合わせ、複数のマイクロプロセッサ、ＤＳＰコアと併せた１つまたは複数のマイクロプロセッサ、または任意の他のこのような構成など、コンピュータデバイスの組み合わせとして実現され得る。
【００４１】
[0049]１つまたは複数の典型的な実施形態においては、上述の機能は、ハードウェア、ソフトウェア、ファームウェア、またはこれらの任意の組み合わせにて実現され得る。ソフトウェアで実現される場合、これらの機能は、コンピュータ読取可能な媒体において、１つまたは複数のインストラクションまたはコードとして記憶または伝送することができる。コンピュータ読取可能な媒体は、或る場所から他の場所へのコンピュータプログラムの移動を促進する任意の媒体を含むコンピュータ記憶媒体および通信媒体の両方を含む。記憶媒体は、コンピュータによってアクセスされ得る任意の利用可能な媒体であり得る。これらに限られるわけではないが、例として、このようなコンピュータ読取可能な媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは所望のプログラムコードをインストラクションまたはデータ構造の形態で搬送または記憶するために使用され得、コンピュータによってアクセスされ得る任意の他の媒体を備え得る。また、何らかの接続も、コンピュータ読取可能な媒体と適切に称される。例えば、ソフトウェアが、ウェブサイト、サーバ、または他のリモートソースから、同軸ケーブル、光ファイバケーブル、ツイストペア、デジタル加入者線（ＤＳＬ）、あるいは赤外線、無線、およびマイクロ波などのワイヤレス技術を使用して伝送される場合、同軸ケーブル、光ファイバケーブル、ツイストペア、ＤＳＬ、あるいは赤外線、無線、およびマイクロ波などのワイヤレス技術は、媒体の定義に含まれる。本明細書において使用されるとき、ディスク（disk and disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ここでディスク（disk）が、通常はデータを磁気的に再生する一方で、ディスク（disc）は、データをレーザーで光学的に再生する。上記の組み合わせもまた、コンピュータ読取可能な媒体の範囲内に含まれるべきである。
【００４２】
［0050]開示の典型的な実施形態についての以上の説明は、本発明の製作および使用を当業者にとって可能にするように提示されている。これらの典型的な実施形態の種々の変更が、当業者にとって容易に明らかであり、本明細書に定められる全体的な原理は、本発明の趣旨および範囲から逸脱することなく他の実施形態にも適用され得る。したがって、本発明は、本明細書に示した典型的な実施形態に限られるものではなく、本明細書に開示の原理および新規な特徴に矛盾しない最大限の範囲が与えられるべきである。
以下に、本願出願の当初の特許請求の範囲に記載された発明を付記する。
［Ｃ１］第１の増幅器と第２の増幅器とを含む伝送経路と、
前記第１の増幅器と前記第２の増幅器との間に結合され、第１のモードでは前記第１の増幅器を前記第２の増幅器に直列に結合するために、第２のモードでは前記第１の増幅器を前記第２の増幅器をバイパスするように結合するために、切り替え可能に構成された、変圧器と、
を備える装置。
［Ｃ２］第３のモードで動作するための第３の増幅器を含んでいる別の伝送経路をさらに備える、Ｃ１に記載の装置。
［Ｃ３］前記伝送経路または前記別の伝送経路のいずれかを第１の帯域ポートおよび第２の帯域ポートの１つに結合するための第１のスイッチと、
前記伝送経路または前記別の伝送経路のいずれかを第３の帯域ポートおよび第４の帯域ポートの１つに結合するための第２のスイッチと、
をさらに備える、Ｃ２に記載の装置。
［Ｃ４］前記第１のモードが高電力モードを備え、前記第２のモードが中電力モードを備え、前記第３のモードが低電力モードを備える、Ｃ２に記載の装置。
［Ｃ５］前記伝送経路が、
シングルエンドの入力信号を受け取り、ダブルエンドの出力信号を前記第１の増幅器に伝達するための第２の変圧器
を含んでいる、Ｃ１に記載の装置。
［Ｃ６］前記第２の増幅器から伝達されるダブルエンドの入力信号を受け取り、シングルエンドの信号を出力に伝達するための第３の変圧器をさらに含む、Ｃ５に記載の装置。
［Ｃ７］前記変圧器が、出力信号を受け取るためのものであり、前記第１のモードで前記第２の増幅器にダブルエンドの信号を伝達するか、または前記第２のモードで前記第２の増幅器をバイパスするようにシングルエンドの信号を伝達するために、切り替え可能に構成されている、Ｃ１に記載の装置。
［Ｃ８］前記第１のモードが高電力モードを備え、前記第２のモードが中電力モードを備える、Ｃ１に記載の装置。
［Ｃ９］前記第１の増幅器または前記第２の増幅器のうちのいずれかの増幅器の出力に結合され、第１の帯域または第２の帯域のいずれかを選択するための第１のスイッチと、前記第１の増幅器または前記第２の増幅器のうちのいずれかの増幅器の出力に結合され、第３の帯域または第４の帯域のいずれかを選択するための第２の異なるスイッチと、をさらに備える、Ｃ１に記載の装置。
［Ｃ１０］複数の動作モードのうちの１つにおいて少なくとも１つの増幅器によって信号を増幅することと、
第１の複数の帯域ポートのうちの１つが選択されている場合に、前記増幅された信号を第１の出力経路に伝達することと、
第２の複数の帯域ポートのうちの１つが選択されている場合に、前記増幅された信号を第２の出力経路に伝達することと、
を備える方法。
［Ｃ１１］前記増幅することが、
第１の動作モードにおいて前記信号を第１の増幅器および第２の増幅器によって増幅することと、
第２の動作モードにおいて前記信号を前記第１の増幅器によって増幅することと、
第３の動作モードにおいて前記信号を第３の増幅器によって増幅することと、
を備える、Ｃ１０に記載の方法。
［Ｃ１２］前記第１の動作モードにおいて前記第１の増幅器から出力される信号を前記第２の増幅器に伝達するように変圧器を切り替え可能に構成することをさらに備える、Ｃ１１に記載の方法。
［Ｃ１３］前記第２の動作モードにおいて前記第１の増幅器から出力される信号を前記第１の出力経路および前記第２の出力経路の１つに伝達するように変圧器を切り替え可能に構成することをさらに備える、Ｃ１１に記載の方法。
［Ｃ１４］前記増幅することが、高電力モード、中電力モード、および低電力モードのうちの１つにて前記信号を増幅することを備える、Ｃ１０に記載の方法。
［Ｃ１５］前記増幅することが、
変圧器において、シングルエンドの信号をダブルエンドの信号に変換することと、
別の変圧器において、増幅されたダブルエンドの信号をシングルエンドの信号に変換することと、
を備える、Ｃ１０に記載の方法。
［Ｃ１６］選択された帯域に基づいて複数のスイッチのうちの１つを介して前記信号を出力することをさらに備える、Ｃ１０に記載の方法。
［Ｃ１７］前記出力することが、第１の帯域および第２の帯域の１つが選択される場合に第１のスイッチを介して前記信号を出力することと、第３の帯域および第４の帯域の１つが選択される場合に第２のスイッチを介して前記信号を出力することと、のうちの１つを備える、Ｃ１６に記載の方法。
［Ｃ１８］高電力モードにおいてドライバ増幅器の出力から電力増幅器の入力へのインピーダンス整合を提供することをさらに備える、Ｃ１０に記載の方法。
［Ｃ１９］前記少なくとも１つの増幅器についてステージ間の整合および出力の整合の少なくとも１つを提供するためにキャパシタを調節する、Ｃ１０に記載の方法。
［Ｃ２０］複数の動作モードのうちの１つにおいて少なくとも１つの増幅器によって信号を増幅するための手段と、
第１の複数の帯域ポートのうちの１つが選択されている場合に、前記増幅された信号を第１の出力経路に伝達するための手段と、
第２の複数の帯域ポートのうちの１つが選択されている場合に、前記増幅された信号を第２の出力経路に伝達するための手段と、
を備えるデバイス。
【図１】
0006017704.tif 000002
【図２】
0006017704.tif 000003
【図３】
0006017704.tif 000004
【図４】
0006017704.tif 000005
【図５】
0006017704.tif 000006
【図６】
0006017704.tif 000007
【図７】
0006017704.tif 000008
【図８】
0006017704.tif 000009
【図９】
0006017704.tif 000010